(57)【特許請求の範囲】
【請求項１】
ゴルフクラブ用の複数のシャフトの各々について、前記シャフトの延びる方向に沿った複数の箇所における前記シャフトの剛性値を記憶する記憶部と、
前記記憶部内の前記シャフトの剛性値に基づいて、前記複数のシャフトの各々についての第１指標及び第２指標を算出する指標算出部と、
算出された前記第１指標及び前記第２指標の値に基づいて、前記第１指標及び前記第２指標を表す軸を有するプロット領域を含み、前記複数のシャフトにそれぞれ対応するポイントを前記プロット領域上の対応する位置にプロットしたプロット図を作成するプロット部と、
前記プロット図をディスプレイ上に表示させる又はプリンタに印刷させる制御部とを備え、
前記第１指標は、以下の（ａ）〜（ｄ）の中から選択される指標の１つであり、前記第２指標は、以下の（ａ）〜（ｄ）の中から選択される、前記第１指標とは異なる指標の１つであり、
（ａ）の指標は、前記シャフトの延びる方向に沿った前記シャフトの曲げ剛性値の分布に基づいて決定される指標であって、前記シャフトの延びる方向に沿って曲げ剛性値が相対的に高い部分が中央付近にあるか、バット側又はティップ側、或いはその両方の端部付近にあるかを表す指標であり、
（ｂ）の指標は、前記シャフトの延びる方向に沿った前記シャフトのねじり剛性値の分布に基づいて決定される指標であって、前記シャフトの延びる方向に沿ってねじり剛性値が相対的に高い部分が中央付近にあるか、バット側又はティップ側、或いはその両方の端部付近にあるかを表す指標であり、
（ｃ）の指標は、前記シャフトの延びる方向に沿った前記シャフトの曲げ剛性値の分布に基づいて決定される指標であって、前記シャフトの曲げ剛性に関する調子を表す指標であり、
（ｄ）の指標は、前記シャフトの延びる方向に沿った前記シャフトのねじり剛性値の分布に基づいて決定される指標であって、前記シャフトのねじり剛性に関する調子を表す指標である、
情報処理装置。
【請求項２】
前記第１指標は、前記シャフトの延びる方向に沿った少なくとも３箇所における前記シャフトの剛性値の分布に基づいて決定される指標である、
請求項１に記載の情報処理装置。
【請求項３】
前記シャフトの剛性値の分布は、前記シャフトの延びる方向に沿った少なくとも３箇所における前記シャフトの剛性値にそれぞれ対応する数値を配列したコードである、
請求項２に記載の情報処理装置。
【請求項４】
前記第１指標は、数値で表される、
請求項１から３のいずれかに記載の情報処理装置。
【請求項５】
前記プロット領域上にプロットされる前記ポイントの形態は、前記第１指標及び前記第２指標とは異なる、前記シャフトの属性を表す、
請求項１から４のいずれかに記載の情報処理装置。
【請求項６】
前記ポイントの形態は、前記シャフトの製造メーカー又はブランドを表す指標である、
請求項５に記載の情報処理装置。
【請求項７】
前記プロット領域は、前記第１指標及び前記第２指標とは異なる指標であって、前記シャフトの属性を表す第３指標を表す軸をさらに有する、
請求項１から６のいずれかに記載の情報処理装置。
【請求項８】
前記第３指標は、前記（ａ）〜（ｄ）の中から選択される、前記第１指標及び第２指標とは異なる指標の１つ、或いは、前記シャフトのトルク、フレックス又は重量を表す指標である、
請求項７に記載の情報処理装置。
【請求項９】
前記プロット領域上において、ある種類のゴルファーに適したシャフトに対応する領域は、ユーザがそれ以外の領域と区別可能な態様で印刷される、
請求項１から８のいずれかに記載の情報処理装置。
【請求項１０】
ゴルフクラブ用の複数のシャフトの各々について、前記シャフトの延びる方向に沿った複数の箇所における前記シャフトの剛性値を記憶する記憶部に接続されるコンピュータに、
前記記憶部内の前記シャフトの剛性値に基づいて、前記複数のシャフトの各々についての第１指標及び第２指標を算出するステップと、
算出された前記第１指標及び前記第２指標の値に基づいて、前記第１指標及び前記第２指標を表す軸を有するプロット領域を含み、前記複数のシャフトにそれぞれ対応するポイントを前記プロット領域上の対応する位置にプロットしたプロット図を作成するステップと、
前記プロット図をディスプレイ上に表示させる又はプリンタに印刷させるステップとをコンピュータに実行させるプログラムであって、
前記第１指標は、以下の（ａ）〜（ｄ）の中から選択される指標の１つであり、前記第２指標は、以下の（ａ）〜（ｄ）の中から選択される、前記第１指標とは異なる指標の１つであり、
（ａ）の指標は、前記シャフトの延びる方向に沿った前記シャフトの曲げ剛性値の分布に基づいて決定される指標であって、前記シャフトの延びる方向に沿って曲げ剛性値が相対的に高い部分が中央付近にあるか、バット側又はティップ側、或いはその両方の端部付近にあるかを表す指標であり、
（ｂ）の指標は、前記シャフトの延びる方向に沿った前記シャフトのねじり剛性値の分布に基づいて決定される指標であって、前記シャフトの延びる方向に沿ってねじり剛性値が相対的に高い部分が中央付近にあるか、バット側又はティップ側、或いはその両方の端部付近にあるかを表す指標であり、
（ｃ）の指標は、前記シャフトの延びる方向に沿った前記シャフトの曲げ剛性値の分布に基づいて決定される指標であって、前記シャフトの曲げ剛性に関する調子を表す指標であり、
（ｄ）の指標は、前記シャフトの延びる方向に沿った前記シャフトのねじり剛性値の分布に基づいて決定される指標であって、前記シャフトのねじり剛性に関する調子を表す指標である、
プログラム。
【請求項１１】
ゴルフクラブ用の複数のシャフトの各々について、前記シャフトの延びる方向に沿った複数の箇所における前記シャフトの剛性値を記憶する記憶部に接続されるコンピュータが、前記記憶部内の前記シャフトの剛性値に基づいて、前記複数のシャフトの各々についての第１指標及び第２指標を算出するステップと、
前記コンピュータが、算出された前記第１指標及び前記第２指標の値に基づいて、前記第１指標及び前記第２指標を表す軸を有するプロット領域を含み、前記複数のシャフトにそれぞれ対応するポイントを前記プロット領域上の対応する位置にプロットしたプロット図を作成するステップと、
前記第１指標は、以下の（ａ）〜（ｄ）の中から選択される指標の１つであり、前記第２指標は、以下の（ａ）〜（ｄ）の中から選択される、前記第１指標とは異なる指標の１つであり、
（ａ）の指標は、前記シャフトの延びる方向に沿った前記シャフトの曲げ剛性値の分布に基づいて決定される指標であって、前記シャフトの延びる方向に沿って曲げ剛性値が相対的に高い部分が中央付近にあるか、バット側又はティップ側、或いはその両方の端部付近にあるかを表す指標であり、
（ｂ）の指標は、前記シャフトの延びる方向に沿った前記シャフトのねじり剛性値の分布に基づいて決定される指標であって、前記シャフトの延びる方向に沿ってねじり剛性値が相対的に高い部分が中央付近にあるか、バット側又はティップ側、或いはその両方の端部付近にあるかを表す指標であり、
（ｃ）の指標は、前記シャフトの延びる方向に沿った前記シャフトの曲げ剛性値の分布に基づいて決定される指標であって、前記シャフトの曲げ剛性に関する調子を表す指標であり、
（ｄ）の指標は、前記シャフトの延びる方向に沿った前記シャフトのねじり剛性値の分布に基づいて決定される指標であって、前記シャフトのねじり剛性に関する調子を表す指標である、
プロット図作成方法。
【発明の詳細な説明】
【技術分野】
【０００１】
本発明は、ゴルフクラブ用のシャフトの特性値のプロット図が印刷された印刷物、当該プロット図をディスプレイ上に表示させる又はプリンタに印刷させる情報処理装置及びプログラム、並びに当該プロット図を作成する方法に関する。
【背景技術】
【０００２】
ゴルファーに適したゴルフクラブを選定する所謂フィッティングの場面をはじめとして、しばしば、ゴルフクラブのシャフトの特性を理解することが必要とされる。シャフトの特性を表す重要な指標としては、フレックスやトルクと呼ばれるものがあり、フレックスは、シャフトの硬さ（曲げ剛性）を表す指標であり、トルクは、シャフトのねじれやすさ（ねじり剛性）を表す指標である。
【０００３】
フレックスやトルクは、シャフト全体での剛性を評価する指標である。従って、フレックスやトルクを理解すれば、シャフト全体での剛性を理解できるが、シャフトの特性をよりよく理解する上では、シャフトにおいて剛性の高い又は低い位置を知ることも重要となり得る。この種の指標としては、調子（キックポイント）と呼ばれるものがある。調子とは、シャフトにおいてよくしなる（剛性が低い）点がどこにあるかを表す指標であり、調子の種類には、先調子、元調子、中調子等がある。先調子とは、相対的にシャフトのティップ側（ヘッド側）の剛性が低いことを意味し、元調子とは、バット側（グリップ側）の剛性が低いことを意味し、中調子とは、相対的に中央付近の剛性が低いことを意味する。
【０００４】
また、特許文献１で説明されているようなインターナショナル・フレックス・コード（ＩＦＣ）と呼ばれる指標もある。ＩＦＣは、シャフトの延びる方向に沿った４箇所におけるシャフトの剛性をそれぞれ０〜９の１桁の数値で表し、この４つの数値をシャフトの延びる方向に沿って配列したコードである。
【先行技術文献】
【特許文献】
【０００５】
【特許文献１】特開２０１４−１２１４１２号公報
【発明の概要】
【発明が解決しようとする課題】
【０００６】
以上のような調子やＩＦＣの情報は、通常、製造メーカーにより算定され、カタログに掲載される等の態様でユーザに提示される。しかしながら、多種類のシャフトが存在する中、単に調子やＩＦＣの情報を文字情報として提示するのみでは、シャフト間の違いをユーザは容易に理解することができない。
【０００７】
本発明は、ユーザが複数種類のシャフト間でシャフトの剛性値の分布に関するシャフトの特性の違いを直感的に理解できるようにすることを目的とする。
【課題を解決するための手段】
【０００８】
本発明の第１観点に係る印刷物は、ゴルフクラブ用の複数のシャフトの特性値をそれぞれ表す複数のポイントがプロットされたプロット図が印刷された印刷物である。このプロット図は、第１指標を表す軸を有するプロット領域を含む。第１指標は、シャフトの延びる方向に沿ったシャフトの剛性値の分布に基づいて決定される指標である。なお、ここでいう印刷物とは、典型的には、紙媒体のカタログ、チラシ、ポスター、雑誌等であるが、上記プロット図を印刷することができる限り特に限定されず、木板や金属板等の紙媒体以外の媒体であってもよい。
【０００９】
本発明の第２観点に係る印刷物は、第１観点に係る印刷物であって、第１指標は、シャフトの延びる方向に沿った少なくとも３箇所におけるシャフトの剛性値の分布に基づいて決定される指標である。
【００１０】
本発明の第３観点に係る印刷物は、第２観点に係る印刷物であって、シャフトの剛性値の分布は、シャフトの延びる方向に沿った少なくとも３箇所におけるシャフトの剛性値にそれぞれ対応する数値を配列したコードである。
【００１１】
本発明の第４観点に係る印刷物は、第１観点から第３観点のいずれかに係る印刷物であって、第１指標は、調子、曲げ剛性の分布形状、又はねじり剛性の分布形状を表す指標である。
【００１２】
本発明の第５観点に係る印刷物は、第１観点から第４観点のいずれかに係る印刷物であって、第１指標は、数値で表される。
【００１３】
本発明の第６観点に係る印刷物は、第１観点から第５観点のいずれかに係る印刷物であって、プロット領域は、第１指標とは異なる指標であって、シャフトの属性を表す第２指標を表す軸をさらに有する。
【００１４】
本発明の第７観点に係る印刷物は、第１観点から第５観点のいずれかに係る印刷物であって、プロット領域上にプロットされるポイントの形態は、第１指標とは異なる指標であって、シャフトの属性を表す第２指標を表す。
【００１５】
本発明の第８観点に係る印刷物は、第６観点又は第７観点に係る印刷物であって、第２指標は、シャフトの延びる方向に沿ったシャフトの剛性値の分布に基づいて決定される指標、或いは、シャフトのトルク、フレックス又は重量を表す指標である。
【００１６】
本発明の第９観点に係る印刷物は、第７観点に係る印刷物であって、第２指標は、シャフトの製造メーカー又はブランドを表す指標である。
【００１７】
本発明の第１０観点に係る印刷物は、第６観点から第９観点のいずれかに係る印刷物であって、プロット領域は、第１指標及び第２指標とは異なる指標であって、シャフトの属性を表す第３指標を表す軸をさらに有する。
【００１８】
本発明の第１１観点に係る印刷物は、第１０観点に係る印刷物であって、第３指標は、シャフトの延びる方向に沿ったシャフトの剛性値の分布に基づいて決定される指標、或いは、シャフトのトルク、フレックス又は重量を表す指標である。
【００１９】
本発明の第１２観点に係る印刷物は、第１観点から第１１観点のいずれかに係る印刷物であって、プロット領域上において、ある種類のゴルファーに適したシャフトに対応する領域は、ユーザがそれ以外の領域と区別可能な態様で印刷される。
【００２０】
本発明の第１３観点に係る情報処理装置は、ゴルフクラブ用の複数のシャフトの特性値をそれぞれ表す複数のポイントがプロットされたプロット図をディスプレイ上に表示させる又はプリンタに印刷させる制御部を備える。このプロット図は、第１指標を表す軸を有するプロット領域を含む。第１指標は、シャフトの延びる方向に沿ったシャフトの剛性値の分布に基づいて決定される指標である。
【００２１】
本発明の第１４観点に係るプログラムは、ゴルフクラブのシャフトの特性値を表すゴルフクラブ用の複数のシャフトの特性値をそれぞれ表す複数のポイントがプロットされたプロット図をディスプレイ上に表示させる又はプリンタに印刷させるステップをコンピュータに実行させるプログラムである。このプロット図は、第１指標を表す軸を有するプロット領域を含む。第１指標は、シャフトの延びる方向に沿ったシャフトの剛性値の分布に基づいて決定される指標である。
【００２２】
本発明の第１５観点に係るプロット図作成方法は、ゴルフクラブ用の複数のシャフトの特性値をそれぞれ表す複数のポイントがプロットされたプロット図を作成する方法であって、以下のステップを含む。また、以下でいう第１指標とは、シャフトの延びる方向に沿ったシャフトの剛性値の分布に基づいて決定される指標である。
（１）第１指標の第１軸を有するプロット領域を規定するステップ。
（２）シャフトに対し、第１指標の値を導出するステップ。
（３）プロット領域上において、第１指標の値に対応する位置に、シャフトに対応するポイントをプロットするステップ。
【発明の効果】
【００２３】
本発明によれば、ゴルフクラブ用の複数のシャフトの特性値をプロット図の形態でユーザに提示することが可能になる。ここでプロットされる特性値には、シャフトの延びる方向に沿ったシャフトの剛性値の分布に基づいて決定される指標（第１指標）が含まれる。従って、ユーザは、複数種類のシャフト間でシャフトの剛性値の分布に関するシャフトの特性の違いを直感的に理解することができる。
【図面の簡単な説明】
【００２４】
【図１】第１実施形態に係るプロット図。
【図２】インターナショナル・フレックス・コードを説明する図。
【図３】曲げ剛性の値の測定方法の一例を説明する図。
【図４】様々なタイプのシャフトにおける曲げ剛性の分布図。
【図５】情報処理装置、ディスプレイ及びプリンタの構成を示すブロック図。
【図６】第２実施形態に係るプロット図。
【図７】第２実施形態に係る別のプロット図。
【発明を実施するための形態】
【００２５】
以下、図面を参照しつつ、本発明に係るゴルフクラブ用のシャフトの特性値のプロット図が印刷された印刷物の幾つかの実施形態について説明する。また、当該プロット図をディスプレイ上に表示させる又はプリンタに印刷させる情報処理装置及びプログラム、並びに当該プロット図を作成する方法の実施形態についても説明する。
【００２６】
＜１．第１実施形態＞
＜１−１．全体概略＞
図１に、第１実施形態に係るプロット図３を示す。このプロット図３は、ゴルフクラブ用の多数のシャフトの特性を視覚的に分かり易く表現したシャフト特性マップであり、多数のシャフトに対応するポイント３５を各々の特性に基づいて所定のプロット領域３０内にプロットしたものである。プロット図３は、典型的には、印刷紙７に印刷されたり、或いは、ディスプレイ４上に表示されたりする（図５参照）。そして、このような態様で出力されたプロット図３を見たユーザは、これらのシャフトの特性を容易に比較し、シャフト間でのシャフトの特性の違いを直感的に理解することができる。
【００２７】
プロット図３のプロット領域３０は、互いに直交する２つの軸３１，３２を有する二次元領域である。これらの軸３１，３２は、いずれもシャフトの特性を表す指標を表す軸である。本実施形態では、横軸３１は、曲げ剛性の分布形状（以下、ＥＩ形状という）を表す指標の軸であり、縦軸３２は、調子（キックポイント）を表す指標の軸である。なお、本実施形態で対象とするシャフトは、カーボン製のシャフトである。
【００２８】
ＥＩ形状の指標も、調子の指標も、いずれもシャフトの延びる方向に沿ったシャフトの剛性値の分布に基づいて決定される指標である。また、これらの指標はいずれも、定量的に数値を用いて表現される指標であり、本実施形態では、インターナショナル・フレックス・コード（ＩＦＣ）を用いて算出される。そのため、まず、このＩＦＣについて説明する。
【００２９】
＜１−２．インターナショナル・フレックス・コード（ＩＦＣ）＞
ＩＦＣは、図２に示すとおり、シャフト２０の延びる方向に沿った４箇所Ｐ１〜Ｐ４におけるシャフト２０の曲げ剛性をそれぞれ０〜９の１桁の数値で表し、この４つの数値をシャフト２０の延びる方向に沿って配列したコードである。従って、ＩＦＣは、シャフト２０の延びる方向に沿ったシャフト２０の曲げ剛性の値の分布を表すコードとなっている。
【００３０】
具体的には、まず、図２に示されるように、シャフト２０の延びる方向に沿って概ね一定間隔で、曲げ剛性を計測するための４つの測定点Ｐ１〜Ｐ４が定義される。例えば、シャフト２０のチップ端から３６インチの箇所を測定点Ｐ１とし、２６インチの箇所を測定点Ｐ２とし、１６インチの箇所を測定点Ｐ３とし、６インチの箇所を測定点Ｐ４とすることができる。そして、これらの４つの測定点Ｐ１〜Ｐ４における曲げ剛性が計測され、数値化される。
【００３１】
シャフトの各測定点Ｐ（Ｐ１〜Ｐ４）における曲げ剛性（ＥＩ値：Ｎ・ｍ2）は、様々な方法で測定することができ、例えば、インテスコ社製の２０２０型計測機（最大荷重５００ｋｇｆ）を用いて図３に示すようにして測定することができる。この測定方法では、２つの支持点１１，１２でシャフト２０を下方から支持しつつ、測定点Ｐに上方から荷重Ｆを加えたときのたわみ量αを測定する。支持点１１と支持点１２との間の距離（スパン）は、例えば、２００ｍｍとすることができ、測定点Ｐは、支持点１１と支持点１２の中間点とすることができる。より具体的には、支持点１１，１２を支える支持体１４，１５を固定した状態で、測定点Ｐにおいて圧子１３を一定速度（例えば、５ｍｍ／分）で下方へ移動させる。そして、荷重Ｆが２０ｋｇｆに達した時点で圧子１３の移動を終了させ、この瞬間のシャフト２０のたわみ量α（ｍｍ）を測定し、このたわみ量αを曲げ剛性（Ｎ・ｍ2）に換算する。
【００３２】
次に、以上の４つの測定点Ｐ１〜Ｐ４における曲げ剛性を、それぞれ１０段階のランク値に変換する。具体的には、ランク値は、各測定点Ｐ１〜Ｐ４用の以下の変換表（表１〜表４）に従って、曲げ剛性（ＥＩ値）から算出することができる（表１〜４中、変換後のランク値をＩＦＣの欄に示している）。そして、このようにして測定点Ｐ１〜Ｐ４に付与された４つのランク値を、よりバット側に対応する値がより左に、よりティップ側に対応する値がより右にくるように配列する。こうして得られた４桁のコードが、ＩＦＣである。ＩＦＣでは、各桁の数値が大きい程、対応する位置での剛性が高いことを意味する。
【表１】
0006480763.tif 000002
【表２】
0006480763.tif 000003
【表３】
0006480763.tif 000004
【表４】
0006480763.tif 000005
【００３３】
＜１−３．プロット図の詳細＞
次に、プロット図３の詳細について説明する。既に述べたとおり、プロット図３の横軸３１は、ＩＦＣから算出されるＥＩ形状を表す。この指標は、シャフトの延びる方向に沿って曲げ剛性が相対的に高い部分が中央付近にあるか、バット側又はティップ側、或いはその両方の端部付近にあるかを定量的に表す指標であり、値が大きい程、より中凸タイプであることを意味し、値が小さい程、より中凹タイプであることを意味する。なお、ここでいう中凸・中凹とは、横軸をシャフトの延びる方向の位置とし、縦軸を曲げ剛性のＥＩ値とするグラフの形状（図４参照）を表しており、中凸タイプとは、相対的にシャフトの中央付近の曲げ剛性が高いタイプを意味し、中凹タイプとは、相対的にシャフトの中央付近の曲げ剛性が低いタイプを意味する。図４は、シャフトの先端からの距離（ｍｍ）を横軸とし、曲げ剛性のＥＩ値を縦軸とするグラフであり、参考として、上述の中凸タイプ及び中凹タイプと、後述する先調子タイプ及び元調子タイプのシャフトの曲げ剛性（ＥＩ値）の分布図を示している。
【００３４】
具体的には、本実施形態に係るＥＩ形状に関する指標は、ＩＦＣを構成する４つの数値のうちの中間の２つの数値の平均値から、両端の２つの数値の平均値を引いた値として算出される。従って、例えば、ＩＦＣが「８７５７」であれば、この指標値は、（７＋５）／２−（８＋７）／２＝−１．５となり、やや中凹タイプであることが分かる。また、ＩＦＣが「３５６６」であれば、この指標値は、１となり、やや中凸タイプであることが分かる。
【００３５】
一方、プロット図３の縦軸３２は、既に述べたとおり、ＩＦＣから算出される調子（キックポイント）を表す。この指標は、シャフトの延びる方向に沿って曲げ剛性が相対的に高い部分がバット側にあるか、ティップ側にあるかを定量的に表す指標であり、値が大きい程、より元調子タイプであることを意味し、値が小さい程、より先調子タイプであることを意味する。なお、元調子とは、バット側の剛性が相対的に低いことを意味し、先調子とは、ティップ側の剛性が相対的に低いことを意味する。
【００３６】
具体的には、本実施形態に係る調子に関する指標は、ＩＦＣを構成する４つの数値のうちの右側の２つの数値の平均値から、左側の２つの数値の平均値を引いた値として算出される。従って、例えば、ＩＦＣが「８７５７」であれば、この指標値は、（５＋７）／２−（８＋７）／２＝−１．５となり、やや先調子であることが分かる。また、ＩＦＣが「３５６６」であれば、この指標値は、２となり、元調子タイプであることが分かる。
【００３７】
以上のような２軸により規定されるプロット領域３０上には、多数のシャフトにそれぞれ対応する多数のポイント３５が描画される。従って、ユーザは、プロット図３を見ながら、多数のシャフトをその特性に基づき容易に比較することができる。また、ポイント３５は、一定の面積を有する領域として描画され、この領域内又はその近傍に、シャフトの種類を特定する情報、例えば、製造メーカーの名称及び商品ＩＤが記述される。従って、どのシャフトがどのような特性を有するのかを容易に理解することができる。
【００３８】
また、上記のとおり、本実施形態に係るＥＩ形状及び調子に関する２つの指標は、数値で表される。従って、プロット図３を見たユーザは、シャフトの特性を定量的かつ直感的に把握することができる。その結果、単に「先調子」「元調子」等と文字情報で示されるよりも、シャフトの特性を説明する上での説得力が増すことになる。また、このような効果を促進するべく、プロット領域３０には、指標の目盛り３１ａ，３２ａが刻まれている。
【００３９】
また、ポイント３５の形態は、シャフトの属性を表している。より具体的には、ポイント３５には、シャフトの製造メーカーに応じて異なる色が付されている。従って、プロット図３を見たユーザは、製造メーカー毎の特色を知ることも容易になる。また、このような効果を促進するべく、同じ製造メーカーのシャフトに対応するポイント３５を囲む囲み線３９も付されている。なお、ポイント３５を、シャフトの属性に応じて異なる色とすることに代えて又は加えて、丸や四角形等の異なる形状にしたり、異なる模様を付す等することもできる。また、ポイント３５の形態は、製造メーカー毎に変えるようにするのではなく、ブランド毎に変えるようにすることもできる。
【００４０】
また、プロット領域３０上には、ゴルファーの特徴を示す領域３６ａ〜３６ｄが描画されている。領域３６ａは、シニアに適したシャフトに対応する領域であり、領域３６ｂは、アベレージゴルファーに適したシャフトに対応する領域である。また、領域３６ｃは、コントロールヒッターに適したシャフトに対応する領域であり、領域３６ｄは、ハードヒッターに適したシャフトに対応する領域である。そして、これらの領域３６ａ〜３６ｄは、プロット領域３０上においてそれ以外の領域とは区別された態様で描画されている。区別の仕方としては、色分けしたり、模様を付したり、境界線を引いたりする態様が考えられる。また、これらの領域がどのような領域であるかを説明する文字（図１の例では、「シニア」「アベレージゴルファー」「コントロールヒッター」「ハードヒッター」）等を記述することが好ましい。
【００４１】
また、プロット領域３０上には、ＥＩ形状及び調子の値がそれぞれ大きい場合及び小さい場合の特徴（シャフトの特徴、弾道の特徴等）を示すコメント３８が付されている。このコメント３８は、これらの指標の値がより大きい又は小さいシャフトを使用した場合に、スイングがどのようになる傾向にあるかを説明するものである。これにより、ユーザは、軸の意味をより容易に知ることができる。
【００４２】
＜１−４．情報処理装置＞
次に、図５を参照しつつ、以上のプロット図３を描画する情報処理装置２について説明する。情報処理装置２は、ＣＤ−ＲＯＭ、ＵＳＢメモリ等のコンピュータで読み取り可能な記録媒体４０に格納された描画プログラムを、当該記録媒体４０から汎用のコンピュータにインストールすることにより製造される。描画プログラムは、多数のシャフトのＩＦＣに基づいて上述のプロット図３を描画し、これをディスプレイ４上に表示させたり、プリンタ５を介して印刷したりするためのソフトウェアであり、情報処理装置２に後述する動作を実行させる。ディスプレイ４は、液晶ディスプレイ等で構成することができる。なお、ディスプレイ４は、情報処理装置２と別体であってもよいし、ノートパソコンや、タブレット、スマートフォンのように、装置本体に組み込まれているものであってもよい。
【００４３】
情報処理装置２は、入力部２２、記憶部２３、制御部２４及び通信部２５を備える。これらの部２２〜２５は、バス線２６を介して接続されており、相互に通信可能である。入力部２２は、マウス、キーボード、タッチパネル等で構成することができ、情報処理装置２に対するユーザからの操作を受け付ける。通信部２５は、情報処理装置２と外部装置との通信を可能にする通信インターフェースであり、ディスプレイ４及びプリンタ５へプロット図３のデータを送信する。
【００４４】
記憶部２３は、ハードディスク等の不揮発性の記憶装置により構成される。記憶部２３内には、描画プログラムが格納されている他、多数のシャフトのＩＦＣの情報が格納されている。また、描画プログラムにより描画されたプロット図３のデータも格納される。
【００４５】
制御部２４は、ＣＰＵ、ＲＯＭおよびＲＡＭ等から構成される。制御部２４は、記憶部２３内の描画プログラムを読み出して実行することにより、仮想的に領域設定部２４Ａ、指標導出部２４Ｂ、プロット部２４Ｃ、表示制御部２４Ｄ及び印刷制御部２４Ｅとして動作する。領域設定部２４Ａは、上記軸３１，３２を有するプロット領域３０を描画するとともに、この領域３０上に目盛り３１ａ，３２ａを描画する。領域設定部２４Ａは、上述の領域３６ａ〜３６ｄ及びコメント３８も適当な位置に描画する。指標導出部２４Ｂは、記憶部２３内のＩＦＣの情報に基づいて、各シャフトに対するＥＩ形状及び調子の値を算出する。プロット部２４Ｃは、指標導出部２４Ｂにより導出された指標の値に基づいて、各シャフトに対応するポイント３５をプロット領域３０上の対応する位置にプロットするように描画する。また、プロット部２４Ｃは、上述の囲み線３９も適当な位置に描画する。そして、表示制御部２４Ｄは、こうして描画されたプロット図３のデータを表示用のイメージデータに変換し、これを通信部２５を介してディスプレイ４に送信し、ディスプレイ４上にプロット図３を表示させる。同様に、印刷制御部２４Ｅは、プロット図３のデータを印刷用のイメージデータに変換した後、これを通信部２５を介してプリンタ５に送信し、印刷紙７上にプロット図３を印刷させる。
【００４６】
以上のとおり、プロット図３は、情報処理装置２を用いて効率的に作成することができるが、手作業により作成することもできる。そして、手作業で作成されたプロット図３の画像をスキャナで読み込む等し、情報処理装置２の記憶部２３に格納しておけば、表示制御部２４Ｄ及び印刷制御部２４Ｅにより、このプロット図３をディスプレイ４及びプリンタ５を介して出力することができる。
【００４７】
＜２．第２実施形態＞
続いて、第２実施形態に係るプロット図１０３について説明する。このプロット図１０３は、第１実施形態に係る二次元プロット図３を三次元に拡張したものである。以下では、簡単のため、プロット図１０３について、プロット図３との差異を中心に説明する。プロット図１０３の作成方法やこれを実施する情報処理装置の構成については、第１実施形態と同様であるため、説明を省略する。
【００４８】
図６に示すとおり、本実施形態に係るプロット図１０３のプロット領域１３０は、第１実施形態と同じくＥＩ形状及び調子に関する指標を表す２つの軸３１，３２を有し、これに加えて、シャフトの重量を表す３つ目の軸３３を有する三次元空間である。なお、この三次元のプロット領域１３０は、ディスプレイ４や印刷紙７に出力すべく平面的に表現されるため、プロット図１０３上では各軸３１〜３３は直交していない。しかしながら、これらの軸３１〜３３は、プロット図１０３を見るものに、これらの軸３１〜３３が互いに直交していることを想起し易いような態様で交差している。
【００４９】
そして、以上のような３軸により規定されるプロット領域１３０上には、第１実施形態の場合と同じく、多数のシャフトにそれぞれ対応する多数のポイント３５が描画されている。プロット図１０３では、シャフトの重量までをも考慮して、多数のシャフトを容易に比較することができる。また、シャフトの重量も、他の２つの指標と同じく、数値で表される指標である。従って、プロット図１０３を見たユーザは、シャフトの重量を定量的かつ直感的に把握することができる。
【００５０】
また、本実施形態でも、ポイント３５の形態は、シャフトの属性を表している。すなわち、ポイント３５は、シャフトのブランドや製造メーカーに応じて異なる形態で表現されるようになっている。なお、図６中には特に示されないが、同じ製造メーカーのシャフトに対応するポイント３５を囲む囲み線３９を付すこともできる。
【００５１】
また、プロット領域１３０上には、ゴルファーの特徴を示す領域を表すマーク１３６〜１３８が描画されている。マーク１３６内及びその付近の領域は、領域３６ｂと同様に、アベレージゴルファーに適したシャフトに対応する領域であり、マーク１３７内及びその付近の領域は、領域３６ｃと同様に、コントロールヒッターに適したシャフトに対応する領域である。マーク１３８内及びその付近の領域は、領域３６ｄと同様に、ハードヒッターに適したシャフトに対応する領域である。また、図７に示すように、シニアに適したシャフトに対応する領域１３９を表示することもできる。これらのマーク１３６〜１３９により、ユーザは、マーク１３６〜１３９内及びその付近の領域を、プロット領域３０上のそれ以外の領域と区別することができる。区別の仕方についても、第１実施形態と同様に、様々な方法を採用することができる。また、これらの領域がどのような領域であるかを説明する文字も、同様に付されている。さらに、図６及び図７中には特に示されないが、軸に対応する指標の意味を示すコメント３８も、同様に付すことができる。そして、本実施形態では、シャフトの重量までも評価することができるため、ゴルファーの特徴をより細やかに分類することができる。
【００５２】
＜３．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００５３】
＜３−１＞
プロット図３，１０３の軸３１〜３３が表す指標は、上述したものに限定されず、これらの軸３１〜３３の少なくとも１つが表す指標を、別の指標に変更することができる。例えば、上記実施形態で説明したＥＩ形状及び調子の導出工程において、曲げ剛性（ＥＩ）の値をねじり剛性（ＧＪ）の値に変更することでねじり剛性（ＧＪ）の分布形状（ＧＪ形状）及び調子を算出し、このような指標を軸３１〜３３が表す指標の少なくとも１つとしてもよい。
【００５４】
また、軸３１〜３３の少なくとも１つが表す指標を、シャフト全体でのねじり剛性、シャフト全体での曲げ剛性、又はシャフトの重量を表す指標としてもよい。
【００５５】
また、調子及びＥＩ形状に関する指標は、ＩＦＣからではなく、別の任意の態様で導出することができる。例えば、シャフトの延びる方向に沿って３箇所、或いは５箇所以上の剛性値を計測して３桁又は５桁以上のコードを作成し、これに基づいて調子やＥＩ形状の値を算出することもできる。ＧＪ形状に関しても、同じである。
【００５６】
また、軸３１〜３３が表す指標は、必ずしも数値で表される指標である必要はなく、例えば、「先調子」「中調子」「元調子」等の文字で表される数段階の数値以外の値をとる指標とすることもできる。
【００５７】
＜３−２＞
上記実施形態では、ポイント３５の形態は、製造メーカー又はブランドを示すものとしたが、これに代えて、上記実施形態及び変形例３−１で説明したような様々な指標を表すようにすることもできる。例えば、指標の値が大きいほど、ポイント３５の色を濃くするように構成することができる。
【００５８】
＜３−３＞
プロット図３，１０３は、それぞれ二次元、三次元のプロット図であったが、上記実施形態及び変形例３−１で説明したような１つの指標を１軸とする一次元プロット図とすることもできる。
【符号の説明】
【００５９】
２  情報処理装置（コンピュータ）
２０  シャフト
２４  制御部
３，１０３  プロット図
３０，１３０  プロット領域
４  ディスプレイ
５  プリンタ
７  印刷紙（印刷物）
【図１】
0006480763.tif 000006
【図２】
0006480763.tif 000007
【図３】
0006480763.tif 000008
【図４】
0006480763.tif 000009
【図５】
0006480763.tif 000010
【図６】
0006480763.tif 000011
【図７】
0006480763.tif 000012